(57)【要約】【課題】メダルを補給する場合に、遊技者が席を立つ等の煩わしさを排除することができると共に、不正を防止し、セキュリティが低下することなく容易にメダル貯留装置にメダル補給を行うことができる遊技装置を提供することを目的とする。【解決手段】遊技媒体貯留部に貯留された遊技媒体を前記遊技媒体払出装置に補給するための補給流路を有する補給樋を配設し、遊技媒体貸出装置は、遊技媒体を遊技者に貸し出すための貸出流路又は補給流路の何れかに遊技媒体を排出する遊技媒体排出手段を有し、遊技媒体排出手段は、所定条件の成立に基づいて、遊技媒体を排出する流路を貸出流路から補給流路に切り換えて、遊技媒体を遊技媒体払出装置に補給する。【選択図】        図１
2006346268.tif 000002
【特許請求の範囲】
【請求項１】
遊技に供する遊技媒体を貯留し、当該貯留された遊技媒体を遊技の結果に応じて払い出す遊技媒体払出装置を有する遊技機と、
前記遊技機と隣設され、遊技媒体を貯留可能な遊技媒体貯留部を有し、当該貯留された遊技媒体を遊技者に貸し出す遊技媒体貸出装置と、
を備えた遊技装置において、
前記遊技媒体貯留部に貯留された遊技媒体を前記遊技媒体払出装置に補給するための補給流路を有する補給樋を配設し、
前記遊技媒体貸出装置は、遊技媒体を遊技者に貸し出すための貸出流路又は前記補給流路の何れかに遊技媒体を排出する遊技媒体排出手段を有し、
前記遊技媒体排出手段は、所定条件の成立に基づいて、遊技媒体を排出する流路を前記貸出流路から前記補給流路に切り換えて、前記遊技媒体を前記遊技媒体払出装置に補給することを特徴とする遊技装置。
【請求項２】
前記遊技媒体貸出装置は、前記遊技媒体貯留部に遊技媒体を補給するための遊技媒体補給口を前面側に有し、
前記遊技媒体排出手段は、所定条件の成立に基づいて、遊技媒体を排出する流路を前記貸出流路から前記補給流路に切り換えて、前記遊技媒体補給口から補給された遊技媒体を前記遊技媒体払出装置に補給することを特徴とする請求項１に記載の遊技装置。
【請求項３】
前記遊技媒体貸出装置は、前記遊技媒体補給口を開閉可能な開閉扉と、前記開閉扉を施錠する施錠装置と、前記施錠装置の施錠状態が解除されたことを検出する施錠解除検出手段と、を有し、
前記遊技媒体排出手段は、前記施錠解除検出手段によって前記施錠装置の施錠状態が解除されたことを検出した場合に、遊技媒体を排出する流路を前記貸出流路から前記補給流路に切り換えて、前記遊技媒体を前記遊技媒体払出装置に補給することを特徴とする請求項２に記載の遊技装置。
【請求項４】
前記遊技媒体貯留部に貯留される遊技媒体が所定量よりも少なくなったことを検出する第１貯留検出手段と、
前記遊技媒体払出装置に貯留される遊技媒体が所定量よりも少なくなったことを検出する第２貯留検出手段と、を備え、
前記第１貯留検出手段及び前記第２貯留検出手段の少なくとも一方によって遊技媒体が所定量よりも少なくなったことが検出された場合に、その旨を報知する補給要求状態報知手段を備えたことを特徴とする請求項１から３のいずれか一つに記載の遊技装置。
【請求項５】
前記遊技媒体排出手段は、前記遊技媒体貯留部に貯留された遊技媒体を排出する遊技媒体排出装置と、前記遊技媒体排出装置の動作を制御する制御手段と、を有し、
前記制御手段は、前記第２貯留検出手段によって遊技媒体が所定量よりも少なくなったことが検出された場合は、遊技媒体を排出する流路を前記貸出流路から前記補給流路に切り換えて、前記遊技媒体排出装置を動作させることを特徴とする請求項４に記載の遊技装置。
【請求項６】
前記遊技機は、前面側を開放した略箱形状の本体枠を備え、該本体枠の遊技媒体貸出装置側の側壁に、前記補給樋を貫通させる貫通口が形成されており、
前記遊技媒体貸出装置の遊技機側の側壁には、前記遊技媒体貯留部と連通するとともに、前記補給樋に形成される補給流路と連通する連通口と、前記連通口に補給流路が連通する位置に前記補給樋を取り付けるための補給樋取付部と、が形成されており、
前記補給樋を前記補給樋取付部に前記遊技機の本体枠側から取り付けて、前記遊技媒体貯留部と前記遊技媒体払出装置との間に前記補給樋が架設されることで、前記補給流路が形成されることを特徴とする請求項１から５のいずれか一つに記載の遊技装置。
【請求項７】
前記補給樋は、前記補給流路を形成する補給樋本体部と、該補給樋本体部の外周面に形成され、前記貫通口を閉塞するための貫通口閉塞部と、前記補給樋本体部と前記貫通口閉塞部とを締結する締結部材と、によって構成されることを特徴とする請求項６に記載の遊技装置。
【請求項８】
前記貫通口閉塞部は、前記補給樋を前記補給樋取付部に取り付けた状態において、前記補給樋本体部の長手方向に可動自在に配設され、前記締結部材によって所望の位置に固定可能であることを特徴とする請求項７に記載の遊技装置。
【発明の詳細な説明】
【技術分野】
【０００１】
本発明は、遊技に供する遊技媒体を貯留し、当該貯留された遊技媒体を遊技の結果に応じて払い出す遊技媒体払出装置を有する遊技機と、前記遊技機と隣設され、遊技媒体を貯留可能な遊技媒体貯留部を有し、当該貯留された遊技媒体を遊技者に貸し出す遊技媒体貸出装置と、を備えた遊技装置に関する。
【背景技術】
【０００２】
一般に、スロットマシンと呼ばれる遊技機は、ボックス状の筐体（本体枠）と、筐体の前面を開閉可能にする開閉扉（前面扉）とを備えている。この筐体の内部には、３個のリール、メダル貯留装置（メダル払出装置）、制御装置などが収納され、また、開閉扉には、ゲームを実施するための構成として、メダル投入口、スタートレバー、停止スイッチ等が配備されている。
【０００３】
遊技を行う遊技者は、まず、遊技場にて遊技媒体となるメダル（コイン）を借り受け、このメダルを遊技機の前面扉に設けられたメダル投入口に投入することにより遊技を開始することができる。遊技者により投入されたメダルは、前面扉の後方の筐体内部に設けられたメダル貯留装置に貯留される。
【０００４】
遊技の結果、役が成立して入賞となった場合には、遊技者にはメダルの払い出しが行われる。この払い出しが行われるメダルは、メダル貯留装置に貯留されているものであり、遊技が繰り返し行なわれてメダルの払い出しが続くと、このメダル貯留装置に貯留されたメダルが不足する事態が発生し得る。
【０００５】
このような事態が発生した場合には、通常、遊技機の上部に設けられた報知ランプ等により、メダルの貯留数が不足となった遊技機に気付いた遊技場の従業員が、この遊技機の開閉扉を開放してメダル貯留装置に直接メダルの補給を行うようになっている。
【０００６】
ところが、上述したように、遊技場の従業員がメダル貯留装置に直接メダルの補給を行うようにした場合には、開閉扉を開閉しなければならないので、その都度、遊技者を席から立たせなければならない。そのため、遊技者に煩わしいという感情を抱かせてしまっていた。
【０００７】
そこで、遊技機を遊技場の島に設置した場合に、遊技機と遊技機との空間部に設けられる化粧板にコイン補給装置を設け、このコイン補給装置より遊技機の筐体内部に設けたコイン排出装置にコインを補給するように構成した遊技機が提案されている（例えば、特許文献１参照。）。
【特許文献１】特開２０００−２５４２７７号公報
【発明の開示】
【発明が解決しようとする課題】
【０００８】
しかしながら、前記特許文献１に記載の発明のように、化粧板にコイン補給装置を設けると、遊技者に遊技媒体となるメダルを貸し出すためのメダル貸出装置を配備するスペースがなくなってしまう。そのため、その遊技機から離れた位置にメダル貸出装置を設けなければならないので、遊技者はメダルを借り受ける度に席を離れることになってしまい、不便である。
【０００９】
一方、特許文献１に記載されているコイン排出装置からコインを貸し出すように構成することも考えられるが、この場合には、遊技機に配設される制御装置にコインを貸し出すための指令信号を入力しなければならない。しかし、遊技機の制御装置は、不正な信号が入力されないようにするために、遊技機側から管理装置側への単方向通信を行うように構成されており、貸出指令信号を制御装置に入力するように構成してしまうと、不正防止のためのセキュリティが低下してしまうという問題が発生してしまう。
【００１０】
本発明はこのような問題点に鑑みてなされたものであり、遊技機の筐体内部に配備したメダル貯留装置にメダルを補給する場合に、遊技者が席を立つ等の煩わしさを排除することができると共に、不正を防止し、セキュリティが低下することなく容易にメダル貯留装置にメダル補給を行うことができる遊技装置を提供することを目的とする。
【課題を解決するための手段】
【００１１】
第１の発明は、遊技に供する遊技媒体を貯留し、当該貯留された遊技媒体を遊技の結果に応じて払い出す遊技媒体払出装置を有する遊技機と、前記遊技機と隣設され、遊技媒体を貯留可能な遊技媒体貯留部を有し、当該貯留された遊技媒体を遊技者に貸し出す遊技媒体貸出装置と、を備えた遊技装置において、前記遊技媒体貯留部に貯留された遊技媒体を前記遊技媒体払出装置に補給するための補給流路を有する補給樋を配設し、前記遊技媒体貸出装置は、遊技媒体を遊技者に貸し出すための貸出流路又は前記補給流路の何れかに遊技媒体を排出する遊技媒体排出手段を有し、前記遊技媒体排出手段は、所定条件の成立に基づいて、遊技媒体を排出する流路を前記貸出流路から前記補給流路に切り換えて、前記遊技媒体を前記遊技媒体払出装置に補給することを特徴とする。
【００１２】
第２の発明は、第１の発明において、前記遊技媒体貸出装置は、前記遊技媒体貯留部に遊技媒体を補給するための遊技媒体補給口を前面側に有し、前記遊技媒体排出手段は、所定条件の成立に基づいて、遊技媒体を排出する流路を前記貸出流路から前記補給流路に切り換えて、前記遊技媒体補給口から補給された遊技媒体を前記遊技媒体払出装置に補給することを特徴とする。
【００１３】
第３の発明は、第２の発明において、前記遊技媒体貸出装置は、前記遊技媒体補給口を開閉可能な開閉扉と、前記開閉扉を施錠する施錠装置と、前記施錠装置の施錠状態が解除されたことを検出する施錠解除検出手段と、を有し、前記遊技媒体排出手段は、前記施錠解除検出手段によって前記施錠装置の施錠状態が解除されたことを検出した場合に、遊技媒体を排出する流路を前記貸出流路から前記補給流路に切り換えて、前記遊技媒体を前記遊技媒体払出装置に補給することを特徴とする。
【００１４】
第４の発明は、第１から３の発明において、前記遊技媒体貯留部に貯留される遊技媒体が所定量よりも少なくなったことを検出する第１貯留検出手段と、前記遊技媒体払出装置に貯留される遊技媒体が所定量よりも少なくなったことを検出する第２貯留検出手段と、を備え、前記第１貯留検出手段及び前記第２貯留検出手段の少なくとも一方によって遊技媒体が所定量よりも少なくなったことが検出された場合に、その旨を報知する補給要求状態報知手段を備えたことを特徴とする。
【００１５】
第５の発明は、第４の発明において、前記遊技媒体排出手段は、前記遊技媒体貯留部に貯留された遊技媒体を排出する遊技媒体排出装置と、前記遊技媒体排出装置の動作を制御する制御手段と、を有し、前記制御手段は、前記第２貯留検出手段によって遊技媒体が所定量よりも少なくなったことが検出された場合は、遊技媒体を排出する流路を前記貸出流路から前記補給流路に切り換えて、前記遊技媒体排出装置を動作させることを特徴とする。
【００１６】
第６の発明は、第１から５の発明において、前記遊技機は、前面側を開放した略箱形状の本体枠を備え、該本体枠の遊技媒体貸出装置側の側壁に、前記補給樋を貫通させる貫通口が形成されており、前記遊技媒体貸出装置の遊技機側の側壁には、前記遊技媒体貯留部と連通するとともに、前記補給樋に形成される補給流路と連通する連通口と、前記連通口に補給流路が連通する位置に前記補給樋を取り付けるための補給樋取付部と、が形成されており、前記補給樋を前記補給樋取付部に前記遊技機の本体枠側から取り付けて、前記遊技媒体貯留部と前記遊技媒体払出装置との間に前記補給樋が架設されることで、前記補給流路が形成されることを特徴とする。
【００１７】
第７の発明は、第６の発明において、前記補給樋は、前記補給流路を形成する補給樋本体部と、該補給樋本体部の外周面に形成され、前記貫通口を閉塞するための貫通口閉塞部と、前記補給樋本体部と前記貫通口閉塞部とを締結する締結部材と、によって構成されることを特徴とする。
【００１８】
第８の発明は、第７の発明において、前記貫通口閉塞部は、前記補給樋を前記補給樋取付部に取り付けた状態において、前記補給樋本体部の長手方向に可動自在に配設され、前記締結部材によって所望の位置に固定可能であることを特徴とする。
【発明の効果】
【００１９】
第１の発明によると、遊技に供する遊技媒体を貯留し、当該貯留された遊技媒体を遊技の結果に応じて払い出す遊技媒体払出装置を有する遊技機と、前記遊技機と隣設され、遊技媒体を貯留可能な遊技媒体貯留部を有し、当該貯留された遊技媒体を遊技者に貸し出す遊技媒体貸出装置と、を備えた遊技装置において、前記遊技媒体貯留部に貯留された遊技媒体を前記遊技媒体払出装置に補給するための補給流路を有する補給樋を配設し、前記遊技媒体貸出装置は、遊技媒体を遊技者に貸し出すための貸出流路又は前記補給流路の何れかに遊技媒体を排出する遊技媒体排出手段を有し、前記遊技媒体排出手段は、所定条件の成立に基づいて、遊技媒体を排出する流路を前記貸出流路から前記補給流路に切り換えて、前記遊技媒体を前記遊技媒体払出装置に補給するので、遊技媒体貯留部に貯留される貸し出し用の遊技媒体を遊技媒体払出装置から払い出される賞遊技媒体として流用することができる。
【００２０】
従って、遊技媒体払出装置内の遊技媒体が不足した場合であっても、遊技者に席を立たせて遊技媒体を補給する必要がなく、遊技者に煩わしさを感じさせることがなくなる。
【００２１】
第２の発明によると、前記遊技媒体貸出装置は、前記遊技媒体貯留部に遊技媒体を補給するための遊技媒体補給口を前面側に有し、前記遊技媒体排出手段は、所定条件の成立に基づいて、遊技媒体を排出する流路を前記貸出流路から前記補給流路に切り換えて、前記遊技媒体補給口から補給された遊技媒体を前記遊技媒体払出装置に補給するので、遊技媒体払出装置内の遊技媒体が不足した場合であっても、遊技者に席を立たせて遊技媒体を補給する必要がなく、遊技者に煩わしさを感じさせることがなくなる。
【００２２】
また、遊技媒体払出装置内に遊技媒体を補給する場合に、遊技機内を遊技者に視認させることがなく、不正の発生を未然に防止することができるので、セキュリティを向上させることができる。
【００２３】
第３の発明によると、前記遊技媒体貸出装置は、前記遊技媒体補給口を開閉可能な開閉扉と、前記開閉扉を施錠する施錠装置と、前記施錠装置の施錠状態が解除されたことを検出する施錠解除検出手段と、を有し、前記遊技媒体排出手段は、前記施錠解除検出手段によって前記施錠装置の施錠状態が解除されたことを検出した場合に、遊技媒体を排出する流路を前記貸出流路から前記補給流路に切り換えて、前記遊技媒体を前記遊技媒体払出装置に補給するので、遊技媒体払出装置内に遊技媒体を補給するときに、遊技場の従業員が遊技媒体貸出装置の施錠装置を操作するため、遊技機の状態を逐次監視することができ、セキュリティを向上させることができる。
【００２４】
第４の発明によると、前記遊技媒体貯留部に貯留される遊技媒体が所定量よりも少なくなったことを検出する第１貯留検出手段と、前記遊技媒体払出装置に貯留される遊技媒体が所定量よりも少なくなったことを検出する第２貯留検出手段と、を備え、前記第１貯留検出手段及び前記第２貯留検出手段の少なくとも一方によって遊技媒体が所定量よりも少なくなったことが検出された場合に、その旨を報知する補給要求状態報知手段を備えたので、補給要求状態を自動的に遊技場の従業員に知らせることができ、補給作業を行うために遊技者が従業員を呼ぶという作業を無くし、遊技者に煩わしさを感じさせることがなくなる。
【００２５】
第５の発明によると、前記遊技媒体排出手段は、前記遊技媒体貯留部に貯留された遊技媒体を排出する遊技媒体排出装置と、前記遊技媒体排出装置の動作を制御する制御手段と、を有し、前記制御手段は、前記第２貯留検出手段によって遊技媒体が所定量よりも少なくなったことが検出された場合は、遊技媒体を排出する流路を前記貸出流路から前記補給流路に切り換えて、前記遊技媒体排出装置を動作させるので、補給作業を行うために遊技者が席から立つという状況や遊技者が従業員を呼ぶという作業を無くすことができ、遊技者に煩わしさを感じさせることがなくなる。
【００２６】
第６の発明によると、前記遊技機は、前面側を開放した略箱形状の本体枠を備え、該本体枠の遊技媒体貸出装置側の側壁に、前記補給樋を貫通させる貫通口が形成されており、前記遊技媒体貸出装置の遊技機側の側壁には、前記遊技媒体貯留部と連通するとともに、前記補給樋に形成される補給流路と連通する連通口と、前記連通口に補給流路が連通する位置に前記補給樋を取り付けるための補給樋取付部と、が形成されており、前記補給樋を前記補給樋取付部に前記遊技機の本体枠側から取り付けて、前記遊技媒体貯留部と前記遊技媒体払出装置との間に前記補給樋が架設されることで、前記補給流路が形成されるので、遊技媒体貯留部と遊技媒体払出装置との間に容易に補給樋を架設することができ、遊技機を新しいものに入れ替えた場合であっても遊技媒体貯留部に貯留される貸し出し用の遊技媒体を遊技媒体払出装置から払い出される賞遊技媒体として流用する遊技装置を提供することができる。
【００２７】
従って、遊技者に席を立たせて遊技媒体を補給する必要がなくなり、遊技者に煩わしさを感じさせることがなくなる。
【００２８】
第７の発明によると、前記補給樋は、前記補給流路を形成する補給樋本体部と、該補給樋本体部の外周面に形成され、前記貫通口を閉塞するための貫通口閉塞部と、前記補給樋本体部と前記貫通口閉塞部とを締結する締結部材と、によって構成されるので、貫通口を介して遊技機内部への不正行為を防止することができ、セキュリティを向上させることができる。
【００２９】
第８の発明によると、前記貫通口閉塞部は、前記補給樋を前記補給樋取付部に取り付けた状態において、前記補給樋本体部の長手方向に可動自在に配設され、前記締結部材によって所望の位置に固定可能であることを特徴とするので、遊技場によって遊技機と遊技媒体貸出装置との間隔に微差が生じても、確実に貫通口を閉塞することができ、セキュリティを向上させることができる。
【発明を実施するための最良の形態】
【００３０】
以下、本発明の第１の実施の形態について、図面に基づいて説明する。
【００３１】
図１は、本発明の第１の実施の形態の遊技装置１の構成を示すブロック図である。
【００３２】
本発明の遊技装置１は、遊技機１０（パチスロ機）、遊技媒体（メダル）貸出装置２０及び情報表示装置３０を含んで構成される。
【００３３】
遊技機１は、遊技者によって遊技媒体であるメダルが投入され、所定の操作をすることによって変動表示ゲームを開始する。この変動表示ゲームの結果態様に応じて、遊技者が所定の遊技価値を獲得することができる。
【００３４】
メダル貸出装置２０は、遊技機１０に隣接して設置され、遊技媒体であるメダルを遊技者に貸し出すための装置である。このメダル貸出装置２０には、紙幣投入口２１、情報表示部２２、遊技媒体（メダル）補給口２３、及び、ノズル（貸メダル誘導路）２７が配設されている。遊技者が紙幣投入口２１に紙幣を投入することによって、メダルがノズル２７から貸し出され、遊技機の受皿に流出するように構成されている。
【００３５】
情報表示装置３０は、液晶ディスプレイや報知ランプ等を備え、遊技機１０の遊技状態やメダル貸出装置２０の状態等を遊技者又は遊技ホール店員に報知する。
【００３６】
遊技装置１は、図示するように横一列に数台ずつ横長の筐体に填め込まれて配列されている。
【００３７】
図２は、遊技装置１の遊技ホールにおける配置を示すブロック図である。
【００３８】
前述のように、遊技装置は横一列に配列されている。この列が背中合わせに配置された状態の一群を「島」と呼ぶ。
【００３９】
この島に配設されている各遊技装置１には、通信装置４０が備えられている。通信装置４０は、遊技装置１の遊技機１０やメダル貸出装置２０から出力された各種信号（例えば大当たり信号等）を、島毎に設置されている島コントローラー５０に送信する。なお、遊技機１０から通信装置４０を介して管理装置７０に出力される信号は単方向通信となっており、メダル貸出装置２０は、通信装置４０を介して管理装置７０と双方向通信可能に構成されている。
【００４０】
島コントローラー５０は、各島の端部に設置されており、島毎の情報を収集して、管理装置７０に送信する。管理装置７０は遊技ホール全体の遊技装置１の情報を収集、集計する。
【００４１】
島コントローラー５０の近傍には島ランプ５１及び紙幣回収装置６０が配設されている。島ランプ５１は、その島の遊技機１０の状態やコイン貸出装置２０の状態等に対応したランプを点灯する。紙幣回収装置６０は、メダル貸出装置２０に投入された紙幣を、図示しない紙幣流路を経由して回収して、紙幣回収装置６０内部にこれを貯留する。
【００４２】
図３は、遊技機の構造を示すブロック図であり、遊技機の前面枠を開放した状態を示す。
【００４３】
本発明の遊技機は、遊技媒体（メダル）払出装置１００を内蔵し、遊技者の獲得した遊技価値に対応した遊技媒体（メダル）を遊技者に払い出す。
【００４４】
本実施の形態の遊技機（スロットマシン）１０は、本体枠１０２の左側に蝶番を有し、この蝶番を軸として片開き形式に開閉自在な前面パネル１０１を備えている。この前面パネル１０１の背部には、変動表示装置を構成する３個のリール（ドラム）４ａ、４ｂ、４ｃが回転自在な状態で横に並んで配置されている。各リール４ａ、４ｂ、４ｃの外周面には、複数種類のシンボル（図柄）からなる図柄列が表記されている。リール４ａ、４ｂ、４ｃはリール駆動部によって駆動され、互いに独立に回転するようになっている。本実施の形態のスロットマシンにおいては、リール４ａ、４ｂ、４ｃの回転によって可変表示ゲームが行われ、前記可変表示の停止結果が有効ライン上において所定の停止表示態様（所定の図柄組合せ態様）となることに関連して所定の遊技価値を遊技者に付与するように構成されている。
【００４５】
前面パネル１０１の上半部の略中央には、リール４ａ、４ｂ、４ｃの回転により可変表示（変動表示）される図柄を遊技者に視認させるための表示窓部が設けられている。表示窓部の左側方には、メダルの賭数（ベット数）に対応して有効化されたベットライン（有効ライン）を表示するベットライン表示部が設けられている。メダルのベット数とは、遊技者が遊技のために投入したメダルの数、又は、予め遊技者が投入したメダルの記憶数（クレジット数）から減算され、遊技に使用されるメダルの数である。なお、遊技を開始するために遊技者がメダルを投入したり、記憶数から減算したりする操作をベットという。
【００４６】
表示窓部の下方には、遊技者が入賞を確定してメダルを獲得したときの払出枚数を表示する払出数表示部、ビッグボーナス（ＢＢ）状態中又はレギュラーボーナス（ＲＢ）状態中の残りゲーム回数等を表示する遊技進行表示部、メダルのクレジット数を表示するクレジット数表示部が設けられている。これらの表示部は、７セグメントのＬＥＤや液晶ディスプレイ等を用いて構成する。
【００４７】
また、前面パネル１０１の上半部と下半部の中間にある傾斜台部には、メダルを投入するメダル投入口が配設され、遊技者はこの投入口にメダルを投入することにより遊技ができるようになっている。また、傾斜台部には、押圧操作によってクレジットしたメダルをベット可能なベットボタンが配設されている。このベットボタンにより、メダル投入口よりメダルを投入することなく、クレジット数表示部に表示されているクレジット数以内でメダルをベットすることができ、このベット数に応じて有効ラインが設定される。
【００４８】
前面パネル１０１の下半部には矩形状の化粧パネルが設けられている。化粧パネルの上方には、メダルをクレジットとして記憶可能なクレジット状態と記憶不能な非クレジット状態のいずれか一方の状態に選択的に切換可能なクレジット選択ボタン、リール４ａ、４ｂ、４ｃの回転を開始させるためのスタートレバー、及び、リール４ａ、４ｂ、４ｃの回転をそれぞれ停止させるための三個のリール停止ボタンが設けられている。
【００４９】
また、化粧パネルの下方には、前面パネル１０１の背部にあるメダル払出装置１００より払出されたメダルを貯留可能な受皿が設けられている。
【００５０】
次に、本実施形態の遊技機１０における遊技状態の状態遷移について説明する。
【００５１】
遊技状態は非ボーナス状態（通常状態）、ＢＢ状態、ＲＢ状態の３つに大別される。非ボーナス状態においては、遊技者による所定数（通常１〜３枚）の遊技媒体（本実施の形態ではメダルであるが、遊技球を用いてもよい）の投入操作、あるいはクレジットからの賭けボタン操作（ベット操作）に基づく賭数の入力後、スタートレバーを操作することによってリールが回転して可変表示ゲームが開始すると共に、ゲーム毎に内部抽選が行われる。
【００５２】
遊技機１０には、ゲームの実行に関連して各種入賞に当選するか否かの抽選を予め行う機能（内部抽選機能）が備えられており、スタートレバーの操作によって、内部抽選用の乱数に基づいて内部抽選が行われる。この内部抽選に当選した場合に入賞フラグが立てられ、所定の入賞役（入賞態様）の発生が許可される。すなわち、内部抽選に当選し、入賞フラグが立てられた場合に限り、所定の図柄が有効ライン上に停止して入賞態様を形成することを許可され、極力入賞を獲得できるようにリール制御が行われる。このように、内部抽選によって、ＢＢ入賞、ＲＢ入賞、小役入賞、リプレイ入賞、ＪＡＣ入賞、ハズレのいずれかが決定される。
【００５３】
すなわち、可変表示ゲームでは、遊技者の停止操作によって狙った図柄が確実に停止するのではなく、遊技機１０の制御手段（遊技制御装置）の制御処理で許可された図柄の組合せのみが遊技者の操作により停止可能に構成されており、遊技制御装置が、例えばスタートレバー操作をきっかけとするタイミングで乱数を抽出し、その乱数を判定した結果に基づいていずれかの入賞役（入賞フラグ）の発生を許可するか否かを決定する処理を行い、こうした決定に基づく図柄の組合せのみが遊技者の操作により停止可能となっている。
【００５４】
ＢＢ入賞（大当たり入賞）とは、高確率で小役入賞を獲得しやすい小役ゲームと高確率でＪＡＣ入賞を獲得しやすいＪＡＣゲームとを所定の回数遊技できるビッグボーナス（ＢＢ）状態を発生させる入賞態様である。ＲＢ入賞とは、高確率でＪＡＣ入賞を獲得しやすいＪＡＣゲームを所定の回数遊技できるレギュラーボーナス（ＲＢ）状態を発生させる入賞態様である。小役入賞とは、比較的少量（例えば１０枚以下）のメダルが払い出されるのみの入賞態様である。リプレイ入賞とは、メダルをベットすることなく再度ゲームが可能となる入賞態様である。ＪＡＣ入賞とは、１枚のメダルをベットして遊技を行うことで比較的多数（例えば１５枚）のメダルが払い出される入賞態様である。特に、ＢＢ入賞やＲＢ入賞は、遊技者に有利な特別遊技状態（ＢＢ状態、ＲＢ状態）を導出する特定入賞と称される。この特別遊技状態では、小役入賞に比較して大量（例えば、１００枚以上）の遊技媒体の獲得が期待できる。
【００５５】
そして、リールの回転（図柄の可変表示）は、遊技者が各リールに対応して各々備えられたリール停止ボタンを操作することにより又は一定時間後に自動的に、各リールの回転を順次停止して、停止表示態様が確定する。そして、リールが停止した際に、前記賭数に応じて有効化された有効ライン上に形成された図柄の組合せ態様が、予め定められた所定の組合せ態様（入賞態様）となった場合に入賞が確定し、入賞種類に対応して利益（遊技媒体）が遊技者に付与される。すなわち、この入賞の結果、遊技者に対して遊技媒体であるメダルが所定枚数払い出される。
【００５６】
遊技機１０の内部には、メダルを払い出すためのメダル払出装置１００が配設されている。メダル払出装置１００は、メダルを貯留するためメインタンク１１０、メダルを受皿に払い出すメダル払出口１２０及びメインタンク１１０からオーバーフローしたメダルを貯留するサブタンク１３０に等よって構成されている。
【００５７】
メインタンク１１０の内部には予めメダルが貯留されており、メダル払出装置１００の動作によって遊技者にメダルが払い出されたり、メダル投入口から遊技者によって投入されたメダルが貯留される。
【００５８】
遊技機１０の左側面には、メダル貸出装置２０と連通する貫通口が備えられている。この貫通口にはメダル貸出装置２０に取り付けられている補給樋２９が備えられている。
【００５９】
メインタンク１１０には通常は十分なメダルが貯留されているが、遊技者の投入するメダル数よりも遊技者に払い出されるメダル数が上回った場合には、メインタンク１１０に貯留されているメダルの数が減少する。そして、メインタンク１１０に貯留されているメダルの数が所定量を下回った場合には、メダル払出部１００に備えられている第２補給要求センサがこれを検出する。この第２補給要求センサの信号がメダル貸出装置２０に送信される。メダル貸出装置２０は、この信号を受けて、情報表示部２２に所定の表示を行う。その後、補給樋２９を介してメダルをメインタンク１１０に補給するための処理を行う。なお、処理については後述する。
【００６０】
図４は、メダル貸出装置２０の斜視図である。
【００６１】
メダル貸出装置２０の前面には、遊技者がメダルの貸し出しを受ける際に紙幣を投入するための紙幣投入口２１、メダル貸出装置２０の状態を表示するための情報表示部２２、メダル貸出装置内部にメダルを補給するためのメダル補給口２３、及び、貸し出されたメダルを遊技機１０の受皿に送り出すための貸出流路２５が備えられている。
【００６２】
貸出流路２５には、遊技機１０の受皿に連通して、メダルを遊技機に誘導するノズル（貸メダル誘導樋）２７が備えられている。
【００６３】
また、メダル補給口２３には、施錠装置２４が備えられている。メダル補給口２３は通常は施錠装置２４によって施錠されており、遊技者がこれを開けることはできない。
【００６４】
遊技者は、紙幣投入口２１に所定の金額の紙幣（例えば１０００円札）を投入することによって、その金額に対応したメダルの貸し出しを受けることができる。貸し出されたメダルは貸出流路２５から排出される。排出されたメダルは、ノズル２７を経由して遊技機１０の前面パネル１０１の受皿に送られる。遊技者はこのメダルを用いて、遊技機１０による変動表示ゲームを行うことができる。
【００６５】
メダル貸出装置２０の内部には、メダルを貯留するためのメダル貯留部２１０及びメダルを貸出流路２５又は補給流路２６に排出するメダル排出装置（ホッパー）２２０が備えられている（図７参照）。
【００６６】
図５及び図６は、メダル貸出装置２０の斜視図であり、補給樋２９の取り付けの説明図である。
【００６７】
メダル貸出装置２０には補給樋取付部２８が備えられている。図示するように、補給樋取付部２８は、メダルを遊技機１０側に排出するための連通口と三つの突起部とを備えている。また、補給樋２９はこの補給樋取付部２８の突起部と嵌合する形状の突起部を備えている。補給樋２９の突起部を補給樋取付部２８の突起部に嵌合させることによって、補給樋２９が補給樋取付部２８に固定される。この状態で、連通口と補給樋２９の内部の空隙とが連通され、補給流路２６が形成される。
【００６８】
メダル貸出装置２０は遊技機１０の本体枠１０２に隣接して設置される。そして、遊技機１０の本体枠１０２には、メダル補給のための補給樋２９を設置するための貫通口が備えられている。
【００６９】
図６に示すように、遊技機１０及びメダル貸出装置２０を島に設置する場合は、まず遊技機１０及びメダル貸出装置２０を設置し、遊技機１０の前面パネル１０１を開放して、遊技機１０の本体枠１０２の貫通口からメダル貸出装置２０の補給樋取付部２８に補給樋２９を取り付ける。
【００７０】
図７及び図８は、メダル貸出装置２０の内部に備えられているメダル貯留部２１０及びメダル排出装置（ホッパー）２２０の構成を示す説明図である。図７は、ホッパー２２０の上面図を示し、図８は、図７のＡ−Ａ断面図を示す。
【００７１】
メダル貸出装置２０の内部にはメダルを貯留するためのメダル貯留部２１０が備えられている。このメダル貯留部２１０の底面には、メダル貯留部２１０のメダルを貸出流路２５又は補給流路２６のいずれかに供給する遊技媒体（メダル）排出装置（ホッパー）２２０が備えられている。
【００７２】
メダル排出装置（ホッパー）２２０は、メダル貯留部２１０のメダルを補給流路又は貸出流路に排出するための動作を実行する。
【００７３】
ホッパー２２０は、ディスク２２１、ガイドピン２２２、ローラーベース２２３及びローラー２２４によって構成されている。
【００７４】
ディスク２２１は、メダルをメダル貯留部２１０から下部に送るための円形の開口部（メダル収納穴）２２６を備えている。また、ディスク２２１は時計回りに回転する。
【００７５】
ディスク２２１の下方にはガイドピン２２２、ローラーベース２２３及びローラー２２４が備えられている。第１ガイドピン２２２Ａ、第１ローラーベース２２３Ａ及び第１ローラー２２４Ａは、貸出流路２５にメダルを導くために動作する。また、第２ガイドピン２２２Ｂ、第２ローラーベース２２３Ｂ及び第２ローラー２２４Ｂは、補給流路２６にメダルを導くために動作する。
【００７６】
ガイドピン２２２は、ソレノイド等によって、突出した状態又は収納された状態のいずれかに設定可能に構成されている。
【００７７】
ローラーベース２２３は、自由回転可能なローラー部２２３１を備えている。
【００７８】
ローラー２２４は、中央部の軸によって保持され前後方向に回転可能に設置されている。またローラー２２４は、自由回転可能なローラー部２２４１を備えている。
【００７９】
メダル貯留部２１０には通常は十分なメダルが貯留されているが、遊技者に貸し出されるメダル数や遊技機１０に補給するメダル数が増えた場合には、メダル貯留部２１０に貯留されているメダルの数が減少する。そして、メダル貯留部２１０に貯留されているメダルの数が所定量を下回った場合には、メダル貯留部２１０に備えられている第１補給要求センサがこれを検出する。この第１補給要求センサの信号はメダル貸出装置２０の制御装置２５０に送信される。制御装置２５０はこの信号を受けて、情報表示部２２によってメダルの不足を報知する。
【００８０】
なお、メダル貸出装置２０の貸出流路２５の手前には、図示しない貸しメダル検出センサが備えられており、貸し出されたメダルを１枚ずつ計数して、制御装置２５０（図１３参照）に送信する。
【００８１】
図９は、ホッパー２２０によってメダルが排出される際の動作を示す説明図である。
【００８２】
ディスク２２１のメダル収納穴２２６を通過したメダルは、ディスク２２１の下方に落下する。ディスク２２１は時計回りに回転しているのでメダルは同方向に付勢されている。このとき、ガイドピン２２２が突設されている場合、すなわち、当該流路にメダルを排出する場合は、メダルはガイドピン２２２とローラーベース２２３との間隙を移動する。そして、ローラー２２４のローラー部２２４１とローラーベース２２３のローラー部２２３１との中間に移動する。その後、メダルはローラー２２４に衝突し、これを押しのけるように回転させて、当該流路に落下する。
【００８３】
図１０及び図１１は、メダル排出時のガイドピン２２２、ローラー２２３及びローラーベース２２４のより詳細な動作を示す説明図である。
【００８４】
図１０は、当該流路にメダルを排出する場合の動作を示す。すなわち、第１ガイドピン２２２Ａ、第１ローラーガイド２２３Ａ及び第１ローラー２２４Ａにおいては、貸出流路２５へのメダルの排出の動作を示し、第２ガイドピン２２２Ｂ、第２ローラーベース２３Ｂ及び第２ローラー２２４Ｂにおいては、補給流路２６へのメダルの排出の動作を示す。
【００８５】
図９で前述したように、メダル貯留部２１０に貯留されているメダルは、ディスク２２１のメダル収納穴２２６を通過してディスク２２１の下方に落下する。ディスク２２１は時計回りに回転しているのでメダルは同方向に付勢されている。このとき、ガイドピン２２２が突設されている場合は、メダルはガイドピン２２２とローラーベース２２３との間隙を通過する（図１０（Ａ））。
【００８６】
そして、メダルは付勢方向に移動し、ローラー２２４のローラー部２２４１とローラーベース２２３のローラー部２２３１との中間に移動する。ここで、メダルはローラー２２４に衝突する（図１０（Ｂ））。
【００８７】
メダルが衝突したローラー２２４は、メダルの付勢によって軸を中心に回転する。すなわち、メダルがローラー２２４を押しのけるように回転させる（図１０（Ｃ））。
【００８８】
この結果、ローラー２２３とローラー２２４との間にメダルが通過可能な間隙が形成される。メダルはさらにこの間隙を通過して、該当する流路、すなわち、貸出流路又は補給流路に排出される（図１０（Ｄ）。
【００８９】
図１１は、当該流路にメダルを排出しない場合の動作を示す。すなわち、第１ガイドピン、第１ローラー及び第１ローラーベースにおいては、貸出流路にメダルを排出せず、補給流路のみへのメダルの排出の動作を示し、第２ガイドピン、第２ローラー及び第２ローラーベースにおいては、補給流路にメダルを排出せず、貸出流路のみへのメダルの排出の動作を示す。
【００９０】
図１０のメダルの排出動作と同様に、メダル貯留部２１０に貯留されているメダルは、ディスク２２１のメダル収納穴２２６を通過してディスク２２１の下方に落下する（図１１（Ａ））。このとき、ガイドピン２２２が収納されている場合は、メダルはローラーベース２２３のローラー部２２３１に衝突した反動で、ガイドピン２２２の上方を通過してローラー２２４の軸付近の中間部分に衝突する（図１１（Ｂ））。
【００９１】
ローラー２２４の中間部分に衝突したメダルは、付勢方向、すなわち、時計回りに移動する（図１１（Ｃ））。従って、当該流路にはメダルは落下しない。その後、移動したメダルは、他方のローラーベース２２３とガイドピン２２２との間隙を通過し、図１０に示すように当該流路に排出される。
【００９２】
このように、ガイドピン２２２を突設させる又は収納させることによって、メダルを貸出流路２５又は補給流路２６のいずれかに排出することができる。
【００９３】
図１２は、メダル貸出装置２０のメダル補給口２３付近の説明図であり、メダル貸出装置２０の前面板の裏面側からメダル補給口２３及び施錠装置２４の詳細な構成を示した説明図である。
【００９４】
メダル補給口２３は、開閉扉２３１及び施錠装置２４を備えている。
【００９５】
開閉扉２３１は、下側に蝶番を有し、この蝶番を軸として下側に片開き形式に開閉自在に構成されている。この開閉扉２３１の略上方には施錠装置２４が備えられている。この施錠装置２４を施錠することによって、開閉扉が開閉不可能に固定される。
【００９６】
施錠装置２４は、例えば鍵によって回転可能な構成となっている。施錠状態では施錠装置２４の一片（固定片）が垂直上方に定位している場合に施錠状態となり（図１２（Ａ））、固定片が水平方向に定位している場合に施錠が解除状態となる（図１２（Ｂ））。
【００９７】
前面板の裏面の施錠装置２４の近傍には施錠装置２４の施錠状態を検出する施錠センサ２４１が備えられている。施錠センサ２４１は、例えば金属を検出するセンサによって構成され、施錠装置２４の施錠が解除されている状態を検出可能となっている。そして、施錠装置２４の施錠が解除されていることを検出すると、制御装置２５０にその信号を送信する（すなわち、施錠センサ２４１がＯＮになる）。
【００９８】
なお、施錠装置２４によって施錠が解除された状態であることを検出できるものであれば、施錠センサ２４１はどのような構成であってもよい。
【００９９】
図１３は、メダル貸出装置２０の制御系の一部を示すブロック図である。
【０１００】
メダル貸し出し装置の制御系統は、メダル貸出装置内部に配置される制御装置２５０を主要な構成要素としている。制御装置２５０は、メダル貸出装置の総括的制御を行う制御装置で、ＣＰＵ２５１、ＲＯＭ２５２、ＲＡＭ２５３、及び入出力Ｉ／Ｆ（インターフェース）２５４を備えている。
【０１０１】
ＣＰＵ２５１は、制御部、演算部を備え、各種演算制御を行う。
【０１０２】
ＲＯＭ２５２には、制御処理を実行するためのプログラムや制御データが格納されている。ＲＡＭ２５３は、ＣＰＵ２５１で処理されるプログラムの記憶領域や、その他の各種データ（例えば、各種フラグなど）を一時的に記憶する記憶領域及びＣＰＵ２５１の作業領域を備えている。
【０１０３】
入出力インターフェース（Ｉ／Ｆ）２５４は、図示しないローパスフィルタやバッファゲートを介して、第１補給要求センサ２３１、施錠センサ２４１、紙幣検出センサ２１１、貸メダル検出センサ２３２、及び、通信装置４０から出力された信号をＣＰＵ２５１に対して出力している。また、ホッパー２２０、第１ガイドピン可動ソレノイド（ＳＯＬ）２２２０Ａ、第２ガイドピン可動ソレノイド（ＳＯＬ）２２２０Ｂ及び情報表示部２２等に指令信号を送信して、これらを制御する。
【０１０４】
また、入出力インターフェース２５４には、通信装置４０が接続されており、通信装置４０を介して、情報表示装置３０、遊技機１０（遊技機１０内部の第２補給要求センサ）及び島コントローラー５０に接続されている。また、島コントローラー５０は、管理装置７０に接続されている。
【０１０５】
なお、第１ガイドピン可動ＳＯＬ２２２０Ａは、プランジャ式ソレノイドによって構成されている。プランジャ式ソレノイドは、制御装置２５０によって電源がＯＮに設定されると励磁されて動作し、第１ガイドピン２２２Ａを突設させる。一方、電源がＯＦＦに設定されると消磁されて動作を終了し、第１ガイドピン２２２Ａを収納させる。
【０１０６】
また、第２ガイドピン可動ＳＯＬ２２２０Ｂは、ラッチ式ソレノイドによって構成されている。ラッチ式ソレノイドは、制御装置２５０によって電源がＯＮに設定されると励磁されて動作し、第２ガイドピン２２２Ｂを突設させる。この状態で電源をＯＦＦにしても当該ソレノイドの状態は変化せず、再び電源をＯＮに設定すると、消磁されて動作し、第２ガイドピン２２２Ｂを収納させる。
【０１０７】
なお、初期状態では、第１ガイドピン２２２Ａは突設されており、第２ガイドピン２２２Ｂは収納されている。
【０１０８】
次に、メダル貸出装置２０の制御装置２５０の動作を説明する。
【０１０９】
前述のように、遊技機１０のメインタンク１１０に貯留されているメダルの数が所定量を下回った場合には、メダル払出部１００に備えられている第２補給要求センサがこれを検出する。この第２補給要求センサの信号がメダル貸出装置２０に送信される。
【０１１０】
メダル貸出装置２０は、この信号を受けて、情報表示部２２等にその旨を報知する。これによって、遊技ホール店員にメダル貸出装置２０内のメダル貯留部に貯留されているメダルの数が減少したことが報知される。
【０１１１】
その後、遊技ホール店員がメダル貸出装置２０のメダル補給口２３の施錠装置２４の施錠状態を解除すると、制御装置２５０がこれを検出して、メダル貸出装置２０の排出流路が貸出流路２５から補給流路２６へと切り替えると共に、ホッパー２２０によるメダルの排出動作を開始する。ここで、遊技ホール店員がメダル補給口２３からメダルを補給すると、補給されたメダルはメダル貯留部２１０からホッパー２２０によって補給流路２６に排出される。排出されたメダルは、補給樋２９によって遊技機１０の内部に送られる。この結果、メダル払出装置１００のメインタンク１１０にメダルが補給される。
【０１１２】
メダルが十分にメインタンク１１０に貯留されたことを契機に、制御装置２５０は、メダルの排出流路を補給流路２６から貸出流路２５に切り替えると共に、ホッパーによるメダルの排出動作を停止する。これによって、遊技者が再びメダル貸出装置２０からメダルの貸し出しを受けることができる。
【０１１３】
図１４は、制御装置２５０の処理を示すフローチャートである。
【０１１４】
メダル貸出装置２０への電源が投入されると、ステップ１００１の初期化処理を実行し、制御装置２５０は初期状態に設定されると共に、ＲＡＭ２５２の各記憶領域の初期化を実行する。
【０１１５】
次に、ステップ１００２では、制御装置２５０は、遊技機１０のメダル払出装置１００内のメダルの貯留量、及び、メダル貸出装置２０のメダル貯留部２１０内のメダル貯留量を監視する貯留状態監視処理を実行する。
【０１１６】
次に、ステップ１００３では、制御装置２５０は、メダル貸出装置２０のメダルの流出経路を貸出流路２５から補給流路２６に切り替え、さらにホッパー２２０を動作させて遊技機１０内部のメダル払出装置１００にメダルを供給するための補給開始処理を実行する。
【０１１７】
次に、ステップ１００４では、制御装置２５０は、メダル貸出装置２０のメダルの排出流路を補給流路２６から貸出流路２５に切り換えて（戻し）、遊技機１０のメダル払出装置１００へのメダル補給を終了する補給終了処理を実行する。
【０１１８】
次に、ステップ１００５では、制御装置２５０は、紙幣投入口２１に紙幣が投入されたかを監視し、遊技者に貸し出すメダル数を計数してメダルを貸し出す貸出監視処理を実行する。
【０１１９】
次に、ステップ１００６では、制御装置２５０は、入出力インターフェース２５４を介して各センサからの信号の受信、通信装置４０を介したデータの送受信、及び、入出力インターフェース２５４を介してデータを所定の出力先に出力する入出力処理を行う。より具体的には、ホッパー２２０の駆動情報や各ソレノイドへの電源の供給、情報表示部２２に表示する表示情報等を出力したり、管理装置４０との間で各種信号の送受信を実行する。
【０１２０】
図１５は、貯留状態監視処理の詳細を示すフローチャートである。
【０１２１】
図１４のステップ１００６において、制御装置２５０は各種センサからの信号を取得する。そして、取得した信号を元に、本フローチャートの処理を実行する。
【０１２２】
制御装置２５０は、まず、第１補給要求フラグがセットされているか否かを判定する（ステップ２００１）。なお、初期化状態では全てのフラグはリセットされている。
【０１２３】
第１補給要求フラグがセットされていると判定した場合は、ステップ２００５に移行し、フラグがセットされていない（リセットされている）と判定した場合は、ステップ２００２に移行する。
【０１２４】
ステップ２００２では、第１補給要求センサがＯＮになっているか否か、すなわち、メダル貸出装置２０のメダル貯留部２１０に備えられている第１補給要求センサからの信号を検出したか否かを判定する。第１補給センサがＯＮであると判定した場合は、ステップ２００３に移行し、第１補給要求センサがＯＮでない（ＯＦＦである）と判定した場合は、ステップ２００８に移行する。
【０１２５】
ステップ２００３では、第１補給要求状態報知情報をセットする。なお、第１補給要求状態報知情報がセットされた場合は、図１４のステップ１００６において、入出力インターフェース２５４によって情報表示部２２に所定の情報、すなわち、メダル貸出装置２０のメダル貯留部のメダルの貯留量が減少している旨の報知情報を表示させる。
【０１２６】
次に、第１補給要求フラグをセットして、ステップ２００５に移行する（ステップ２００４）。
【０１２７】
ステップ２００５では、第１補給要求センサがＯＦＦであるか否か、すなわち、第１補給要求センサからの信号を検出していないか否かを判定する。第１補給センサがＯＦＦであると判定した場合はステップ２００６に移行し、第１補給要求センサがＯＦＦでない（ＯＮである）と判定した場合は、本フローチャートの処理を終了し、図１４のフローチャートに復帰する。
【０１２８】
ステップ２００１において、第１補給要求フラグがセットされているにもかかわらず、第１補給要求センサがＯＦＦになっている場合は、既にメダル貸出装置２０のメダルの貯留量の不足が解消された（メダル貸出装置２０にメダルが供給された）場合である。そこで、ステップ２００６で、第１補給要求状態報知情報をクリアする。そして、ステップ２００７で、第１補給要求フラグをリセットする。その後、本フローチャートの処理を終了し、図１４のフローチャートに復帰する。
【０１２９】
一方、ステップ２００８では、第２補給要求フラグがセットされているか否かを判定する。第２補給要求フラグがセットされていると判定した場合は、ステップ２０１２に移行し、フラグがセットされていない（リセットされている）と判定した場合は、ステップ２００９に移行する。
【０１３０】
ステップ２００９では、第２補給要求センサがＯＮになっているか否か、すなわち、遊技機１０のメダル払出装置１００に備えられている第２補給要求センサからの信号を検出したか否かを判定する。第２補給センサがＯＮであると判定した場合はステップ２０１０に移行し、第２補給要求センサがＯＮでない（ＯＦＦである）と判定した場合は、本フローチャートの処理を終了し、図１４のフローチャートに復帰する。
【０１３１】
ステップ２０１０では、第２補給要求状態報知情報をセットする。なお、第２補給要求状態報知情報がセットされた場合は、図１４のステップ１００６において、入出力インターフェース２５４によって情報表示部２２に所定の情報、すなわち、遊技機１０のメダル払出装置のメインタンク１１０に貯留されているメダルの貯留量が減少している旨の報知情報を表示させる。
【０１３２】
次に、第２補給要求フラグをセットして、ステップ２０１２に移行する（ステップ２０１１）。
【０１３３】
ステップ２０１２では、第２補給要求センサがＯＦＦであるか否か、すなわち、第２補給要求センサからの信号を検出していないか否かを判定する。第２補給センサがＯＦＦであると判定した場合はステップ２０１３に移行し、第２補給要求センサがＯＦＦでない（ＯＮである）と判定した場合は、本フローチャートの処理を終了し、図１４のフローチャートに復帰する。
【０１３４】
ステップ２００８において、第２補給要求フラグがセットされているにもかかわらず、第２補給要求センサがＯＦＦになっている場合は、既に遊技機１０のメダル貯留量の不足が解消された（メダル貸出装置２０によってメダルが補給された）場合である。そこで、ステップ２０１３で、第２補給要求状態報知情報をクリアする。そして、ステップ２０１４で、第２補給要求フラグをリセットする。そして、ステップ２０１５で、第２補給終了フラグをセットする。その後、本フローチャートの処理を終了し、図１４のフローチャートに復帰する。
【０１３５】
このように、図１５のフローチャートによって、第１補給要求センサがＯＮ、すなわちメダル貸出装置２０内のメダル貯留部２１０のメダルが不足している場合、又は、第２補給要求フラグがＯＮ、すなわち、遊技機１０のメダル払出装置１００のメインタンク１１０に貯留されているメダルが不足している場合は、メダル貸出装置２０の情報表示部２２にその旨を表示させる。
【０１３６】
なお、前述の第１補給要求状態報知情報及び第２補給要求状態報知情報は、メダル貸出装置の情報表示部２２に表示されるだけではなく、入出力インターフェース２５４から通信装置４０及び島コントローラー５０を介して、管理装置７０にも送信される。これによって、遊技ホールの店員だけでなく、遊技ホールの監視者にも、当該遊技機１０又はメダル貸出装置２０からメダルの補給要求が発生していることを知ることができる。
【０１３７】
図１６は、補給開始処理の詳細を示すフローチャートである。
【０１３８】
この図１６の処理は、メダル貸出装置２０の補給流路２６を介して遊技機１０のメダル払出装置１００のメインタンク１１０にメダルを補給する処理である。より具体的には、第１ガイドピン２２２Ａを収納し、第２ガイドピン２２２Ｂを突設して、メダル貸出装置２０のホッパー２２０から排出されるメダルの排出流路を補給流路２６側に切り替えて、メダルを遊技機１０に補給する。
【０１３９】
なお、排出流路は、通常状態では遊技者にメダルを貸し出すために貸出流路２５側に設定されている。
【０１４０】
制御装置２５０は、まず、補給開始フラグがセットされているか否かを判定する（ステップ３００１）。なお、初期化状態では全てのフラグはリセットされている。
【０１４１】
補給開始フラグがセットされていない（リセットされている）と判定した場合は、ステップ３００２に移行する。フラグがセットされていると判定した場合は、本フローチャートの処理を終了し、図１４のフローチャートに復帰する。
【０１４２】
ステップ３００２では、第２補給要求フラグがセットされているか否かを判定する。フラグがセットされていると判定した場合は、ステップ３００３に移行する。フラグがリセットされていると判定した場合は、本フローチャートの処理を終了し、図１４のフローチャートに復帰する。
【０１４３】
ステップ３００３では、施錠センサ２４１がＯＮになっているか否か、すなわち施錠センサ２４１によって施錠装置２４の施錠状態の解除が検出されているか否かを判定する。施錠センサ２４１がＯＮである場合、すなわち施錠が解除された状態であると判定した場合は、ステップ３００４に移行する。施錠センサ２４１がＯＦＦである場合、すなわち施錠状態であると判定した場合は、本フローチャートの処理を終了し、図１４のフローチャートに復帰する。
【０１４４】
ステップ３００４では、第１ガイドピン可動ＳＯＬ２２２０ＡをＯＮに設定する。そして、次に、第２ガイドピン可動ＳＯＬ２２２０ＢをＯＮに設定する（ステップ３００５）。これによって、第１ガイドピン可動ＳＯＬ２２２０Ａが励磁されて第１ガイドピン２２２Ａが収納される。そして、消磁されている第２ガイドピン可動ＳＯＬ２２２０Ｂが励磁され、第２ガイドピン２２２Ｂが突設される。
【０１４５】
次に、ホッパー駆動情報をセットする（ステップ３００６）。なお、ホッパー駆動情報がセットされた場合は、図１４のステップ１００６において、入出力インターフェース２５４によってホッパー２２０に所定の情報、すなわち、ホッパーを駆動させるための情報を出力する。次に、補給開始フラグをセットする（ステップ３００７）。
【０１４６】
その後、本フローチャートの処理を終了し、図１４のフローチャートに復帰する。
【０１４７】
このように、図１６のフローチャートによって、第２補給要求フラグがセットされ、かつ、施錠センサ２４１がＯＮである場合は、メダル貸出装置２０のメダル供給流路を補給流路２６に切り替えて、ホッパー２２０の排出動作を実行する。これによって、メダル貸出装置２０から遊技機１０のメダル払出装置１００のメインタンク１１０にメダルが補給される。
【０１４８】
図１７は、補給終了処理の詳細を示すフローチャートである。
【０１４９】
前述した図１６の補給開始処理によって、メダル貸出装置２０から遊技機１０にメダルが補給される。この後、遊技機１０のメダル払出装置１００のメインタンク１１０のメダルの貯留量が所定量を超えると、第２補給要求センサがＯＦＦの状態となる。これを受けて、図１５のステップ２０１５において、第２補給終了フラグがセットされる。
【０１５０】
制御装置２５０は、まず、第２補給終了フラグがセットされているか否かを判定する（ステップ４００１）。なお、初期化状態では全てのフラグはリセットされている。
【０１５１】
第２補給終了フラグがセットされていると判定した場合は、ステップ４００２に移行する。フラグがセットされていないと判定した場合は、本フローチャートの処理を終了し、図１４のフローチャートに復帰する。
【０１５２】
ステップ４００２では、第１ガイドピン可動ＳＯＬ２２２０ＡをＯＦＦに設定する。そして、次に第２ガイドピン可動ＳＯＬ２２２０ＢをＯＮに設定する（ステップ４００３）。これによって、第１ガイドピン可動ＳＯＬ２２２０Ａが消磁されて第１ガイドピン２２２Ａが突設される。そして、励磁されている第２ガイドピン可動ＳＯＬ２２２０Ｂが消磁され、第２ガイドピン２２２Ｂが収納される。
【０１５３】
次に、ホッパー駆動情報をクリアする（ステップ４００４）。これによって、図１４のステップ１００６において、入出力インターフェース２５４によってホッパー２２０に所定の情報、すなわち、ホッパーの駆動を停止させるための情報を出力する。
【０１５４】
次に、補給開始フラグをリセットする（ステップ４００５）。そして、次に第２補給終了フラグをリセットする（ステップ４００６）。
【０１５５】
その後、本フローチャートの処理を終了し、図１４のフローチャートに復帰する。
【０１５６】
このように、図１７のフローチャートによって、第２補給終了フラグがセットされている場合は、メダル貸出装置２０のメダル供給流路を補給流路２６から貸出流路２５に切り替え、さらにホッパー２２０を停止させる。これによって、メダル貸出装置２０から遊技機１０へのメダルの補給が停止し、再び遊技者にメダルを貸し出すことが可能となる。
【０１５７】
図１８は、本実施の形態のメダル貸出装置２０の動作を示すタイミングチャートである。
【０１５８】
制御装置２５０は、第１補給要求センサがＯＮとなった場合は（１）、図１５のステップ２００３において第１補給要求状態報知情報がセットされる。これによって、情報表示部２２に所定の情報が表示される（２）。
【０１５９】
一方、第２補給要求センサがＯＮとなった場合は（３）、図１５のステップ２０１０において第２補給要求状態報知情報がセットされる。これによって、情報表示部２２に所定の情報が表示される（４）。ここで、遊技ホール店員の操作によって、施錠装置２４の施錠が解除され、制御装置２５０が施錠センサ２４１がＯＮであることを検出した場合は（５）、図１６のステップ３００４において第１ガイドピン可動ＳＯＬ２２２０ＡをＯＮに設定し（６）、ステップ３００５において第２ガイドピン可動ＳＯＬ２２２０ＢをＯＮに設定する（７）。そしてさらに、ステップ３００６においてホッパー駆動情報をセットする。これによってホッパー２２０が駆動を開始し（８）、メダルの遊技機１０へのメダルの補給が開始する。
【０１６０】
その後、遊技機１０へのメダルの補給が完了し、第２補給要求センサがＯＦＦとなった場合は（９）、図１５のステップ２０１３において第２補給要求状態報知情報がリセットされる。これによって、情報表示部２２の表示が終了される（１０）。さらに、図１７のステップ４００２において第１ガイドピン可動ＳＯＬ２２２０ＡをＯＦＦに設定し（１１）、ステップ４００３において第２ガイドピン可動ＳＯＬ２２２０ＢをＯＮに設定する（１２）。そしてさらに、ステップ４００４においてホッパー駆動情報をリセットする。これによってホッパー２２０の駆動が停止し（１３）、遊技機１０へのメダルの補給が停止する。
【０１６１】
以上のように、本発明第１の実施の形態の遊技装置では、メダル貸出装置２０に遊技媒体であるメダルを貯留し、これを遊技者に貸し出すと共に、遊技機１０のメダルが不足した場合は遊技機１０にメダルを補給するように構成した。これによって、遊技機１０のメダルが不足した場合に、遊技者に席を立たせて遊技機１０の前面パネル１２０を開放することなく遊技機にメダルを補給することが可能となる。また、メダル貸出装置２０に備えられた情報表示部２２等に、メダルの貯留量の不足を報知することができる。また、メダル貸出装置２０のメダル補給口２３に施錠装置２４を備え、施錠装置２４の施錠状態が解除されている場合のみ遊技機１０にメダル補給するので、遊技機１０の内部を遊技者に見せることがなく、また、遊技ホール店員立ち会いの元でメダルを補給するので、遊技機１０のセキュリティが高まる。
【０１６２】
次に、第２の実施の形態の遊技装置について説明する。
【０１６３】
第２の実施の形態では、遊技機１０のメダル払出装置１００のメインタンク１１０のメダルの貯留量が不足している、又は、メダル貸出装置２０内のメダル貯留部２１０のメダルが不足していることを検出した場合は、制御装置２５０が、通信装置４０を介して情報表示装置３０にその旨を報知する。また通信装置４０を介して、島ランプ５１の呼び出しランプを点滅させる。これによって、遊技ホール店員がメダルの不足をより気付きやすくなる。
【０１６４】
より具体的には、島ランプ５１を赤色点滅させた場合は、当該島のメダル貸出装置２０のメダルの貯留量が不足した状態であり、該当する情報表示装置３０にその旨を報知する。また、島ランプ５１を青色点滅させた場合は、当該島の遊技機１０のメダルの貯留量が不足した状態であり、該当する情報表示装置３０にその旨を報知する。この島ランプ５１及び情報表示装置３０の報知態様によって、補給状態報知部が構成される。
【０１６５】
なお、この動作のために、本実施の形態では、二つの施錠センサ（第１施錠センサ、第２施錠センサ）を設ける。具体的には、いずれの施錠センサも施錠装置２４の施錠を解除した状態を検出するが、図１２（Ａ）において、施錠装置２４を右側に回転させて施錠を解除した場合に第１施錠センサが施錠の解除を検出する。一方、施錠装置２４を左側に回転させて施錠を解除した場合に第２施錠センサが施錠の解除を検出する。これら施錠センサのＯＮの検出によって補給情報表示部の報知を終了させることになる。
【０１６６】
なお、本実施形態のメダル貸出装置２０の制御装置２５０の動作は、前述した第１の実施の形態とほぼ同一である。
【０１６７】
図１９は、第２の実施の形態のメダル貸出装置２０の動作を示すタイミングチャートである。
【０１６８】
第１補給要求センサがＯＮとなった場合は（１）、図１５のステップ２００３において第１補給要求状態報知情報がセットされる。これによって、情報表示部２２に所定の情報が表示される（２）。この第１補給要求状態報知情報は通信装置４０にも送信され、情報表示装置３０及び島ランプ５１（補給情報表示部）によって報知される（３）。ここで、遊技ホール店員の操作によって施錠装置２４の施錠が解除され、制御装置２５０が第１施錠センサがＯＮであることを検出した場合は（４）、補給情報表示部での報知が終了する（５）。
【０１６９】
一方、第２補給要求センサがＯＮとなった場合は（６）、図１５のステップ２０１０において第２補給要求状態報知情報がセットされる。これによって、情報表示部２２に所定の情報が表示される（７）。この第２補給要求状態報知情報は通信装置４０にも送信され、情報表示装置３０及び島ランプ５１（補給情報表示部）によって報知される（８）。ここで、遊技ホール店員の操作によって施錠装置２４の施錠が解除され、制御装置２５０が第２施錠センサがＯＮであることを検出した場合は（９）、補給情報表示部での報知を終了する（１０）。
【０１７０】
このとき、図１６のステップ３００４において第１ガイドピン可動ＳＯＬ２２２０ＡをＯＮに設定し（１１）、ステップ３００５において第２ガイドピン可動ＳＯＬ２２２０ＢをＯＮに設定する（１２）。そしてさらに、ステップ３００６においてホッパー駆動情報をセットする。これによってホッパー２２０が駆動を開始し（１３）、メダルの遊技機１０へのメダルの補給が開始する。
【０１７１】
その後、遊技機１０へのメダルの補給が完了し、第２補給要求センサがＯＦＦとなった場合は（１４）、図１５のステップ２０１３において第２補給要求状態報知情報がリセットされる。これによって、情報表示部２２の表示が終了される（１５）。さらに、図１７のステップ４００２において第１ガイドピン可動ＳＯＬ２２２０ＡをＯＦＦに設定し（１６）、ステップ４００３において第２ガイドピン可動ＳＯＬ２２２０ＢをＯＮに設定する（１７）。そしてさらに、ステップ４００４においてホッパー駆動情報をリセットする。これによってホッパー２２０の駆動が停止し（１８）、遊技機１０へのメダルの補給が停止する。
【０１７２】
以上のように、本発明第２の実施の形態の遊技装置では、第１の実施の形態と同様に、遊技機１０のメダルが不足した場合に、遊技者に席を立たせて遊技機１０の前面パネル１２０を開放することなく遊技機にメダルを補給することが可能となる。
【０１７３】
さらに、メダル貸出装置２０に備えられた情報表示部２２、情報表示装置３０及び島ランプ５１等にメダルの貯留量の不足を報知することができる。この場合にも、遊技者が、メダルの補給作業によって席を立ったり、遊技ホール従業員を呼ぶといった煩わしさから開放されるというメリットがある。
【０１７４】
また、前記第１、２の実施の形態では、遊技ホール店員によってメダル貸出装置２０の施錠装置２４の施錠が解除されたときに、はじめて供給流路が貸出流路２５から補給流路２６に切り替えられるようにしていたが、これらの変形例として、メダル貸出装置２０の制御装置２５０が、遊技機１０のメダルの貯留量が不足していることを検出した場合に、自動的に供給流路を貸出流路２５から補給流路２６に切り替え、さらにホッパー２２０を動作させて、遊技機１０にメダルを供給するようにしてもよい。
【０１７５】
この場合、施錠装置２４の施錠の解除による施錠センサのＯＮの検出は、補給情報表示部の報知を終了させるだけに用いる。そのため、図１６のステップ３００３（施錠センサのＯＮの判定）は実行しない。従って、図１６において、補給開始フラグがリセットされており（ステップ３００１）、第２補給要求フラグがセットされている場合は（ステップ３００２）、ただちにステップ３００４以降の処理を実行する、すなわち、第１ガイドピン可動ＳＯＬ２２２０ＡをＯＮに設定し（ステップ３００４）、第２ガイドピン可動ＳＯＬ２２２０ＢをＯＮに設定し（ステップ３００５）、ホッパー駆動情報をセットし（ステップ３００６）、補給開始フラグをセットする（ステップ３００７）。
【０１７６】
このように構成することで、遊技機１０のメダルが不足した場合は、自動的にメダル貸出装置２０のメダルを遊技機１０に補給することができる。この場合にも、遊技者が、メダルの補給作業によって席を立ったり、遊技ホール従業員を呼ぶといった煩わしさから開放されるというメリットがある。
【０１７７】
次に、本発明の第３の実施の形態について説明する。
【０１７８】
第３の実施の形態は、遊技機１０とメダル貸出装置２０との接続に関する。
【０１７９】
前述したように、遊技機１０及びメダル貸出装置２０を設置する場合は、それぞれを島に備え付けた後、補給樋２９をメダル貸出装置２０に嵌合させて固定し、その後、遊技機１０の前面パネル１０１を閉じる。
【０１８０】
このとき、遊技機１０やメダル貸出装置２０の設置方法や状態によっては、これらの間に隙間が生じる場合が発生し得る。遊技機１０の本体枠１０２に貫通口が設けられているので、この隙間が大きい場合は、何らかの手段によって遊技機１０内部への不正な操作（例えば、ピアノ線等を貫通口から挿入し、遊技機内に設けられるメダル排出スイッチを不正に操作してメインタンク１１０内に貯留されるメダルを抜き取る等の不正）がされる可能性が生ずる。
【０１８１】
そこで、第３の実施の形態では、この遊技機１０の本体枠１０２の貫通口を塞ぐための手段を提供する。
【０１８２】
図２０は、第３の実施の形態の補給流路２６近傍を上面から見た際の断面図である。図２０（Ａ）は、補給樋２９が補給樋取付部２８に固定された状態を示し、図２０（Ｂ）は、補給樋２９が補給樋取付部２８に取り付けられていない状態を示す。
【０１８３】
図示するように、補給樋２９には、貫通口閉塞部材２９０が備えられている。この貫通口閉塞部材２９０は、遊技機１０の貫通口よりも一回り大きい形状で構成され、遊技機１０の貫通口を塞ぐことが可能となっている。また、遊技機１０の貫通口の内周よりもわずかに小さい径のフランジ部を有する。このフランジ部は遊技機１０の貫通口と嵌合することによって、遊技機１０の貫通口を全て塞ぐことが可能となっている。
【０１８４】
また、貫通口閉塞部材２９０の中央部は補給樋２９の外周面と略同一の径を持つ矩形状の開口部が開設されており、この開口部に補給樋２９が貫通している。
【０１８５】
また、貫通口閉塞部材２９０の開口部の遊技機側であって補給樋２９の上面には、矩形状の突起部を備えている。この突起部にはネジ等の締結部材が貫通される貫通口が開設されており、この貫通口にネジが螺合されている。また、補給樋２９の前記貫通口に対応する位置にネジ穴２９１が形成されている。このネジ穴は、補給樋２９の長手方向に所定の幅を有している。補給樋２９の内側の補給流路には、ネジを固定するために図示しないナット等の締結部材を備えることが可能になっている。
【０１８６】
すなわち、貫通口閉塞部材２９０は、貫通口、ネジ穴を挟持してネジ及びナットによって螺合される。ネジ穴は、補給樋２９の長手方向に幅を有しているので、図２０（Ｂ）に図示するように、貫通口閉塞部材２９０は、補給樋２９の長手方向に自在に移動して固定することが可能となっている。
【０１８７】
従って、まず、補給樋２９を補給樋取付部２８に嵌合して補給樋を固定した後、貫通口閉塞部材２９０を遊技機１０の内面側から貫通口側に移動させて貫通口に完全に嵌合させる。その状態でネジ２９２を螺合させて貫通口締結部材２９０を固定する。これによって、遊技機１０の貫通口が完全に塞がれる。
【０１８８】
このように、第３の実施の形態では、遊技機１０の貫通口を塞ぐための貫通口閉塞部材２９０を備えたので、遊技機１０とメダル貸出装置２０とに隙間が発生している状況でも、貫通口を完全に塞ぐことで遊技機１０のセキュリティを高めることができる。また、この貫通口締結部材２９０は、補給樋２９の長手方向に自在に移動して固定できるので、遊技機１０とメダル貸出装置２０との間隔に差がある場合にも、確実に貫通口を塞ぐことができる。
【０１８９】
以上、第１から第３の実施の形態を説明したが、これらを適宜組み合わせて適用してもよい。
【０１９０】
また、補給樋取付部２８に、補給樋２９が嵌合されて固定されているか否かを検出するセンサ（補給樋取付検出手段）を備えてもよい。メダル貸出装置２０の制御装置２５０は、このセンサによって補給樋が取り付けられていることを検出した場合のみ、メダルを遊技機１０に補給することができるように構成してもよい。例えば、メダル貸出装置２０からの補給を受ける構造を持っていない遊技機１０と本発明のメダル貸出装置２０とを組み合わせると、遊技者にメダルを貸し出す操作のみを行わせることができる。すなわち、様々な形態の島設備に本発明のメダル貸出装置２０を備えることができ、利用者の利便性を高めることができる。
【０１９１】
今回開示した実施の形態は、全ての点で例示であって制限的なものではないと考えられるべきである。本発明の範囲は上記した説明ではなくて特許請求の範囲によって示され、特許請求の範囲と均等の意味及び内容の範囲での全ての変更が含まれることが意図される。
【図面の簡単な説明】
【０１９２】
【図１】本発明の第１の実施の形態の遊技装置の構成を示すブロック図である。
【図２】本発明の第１の実施の形態の遊技装置の遊技ホールにおける配置を示すブロック図である。
【図３】本発明の第１の実施の形態の遊技機の構造を示すブロック図である。
【図４】本発明の第１の実施の形態のメダル貸出装置の斜視図である。
【図５】本発明の第１の実施の形態のメダル貸出装置の斜視図である。
【図６】本発明の第１の実施の形態のメダル貸出装置の斜視図である。
【図７】本発明の第１の実施の形態のメダル貯留部及びメダル排出装置（ホッパー）の構成を示す説明図である。
【図８】本発明の第１の実施の形態のメダル貯留部及びメダル排出装置（ホッパー）の構成を示す説明図である。
【図９】本発明の第１の実施の形態のホッパーによってメダルが排出される際の動作を示す説明図である。
【図１０】本発明の第１の実施の形態のホッパーのより詳細な動作を示す説明図である。
【図１１】本発明の第１の実施の形態のホッパーのより詳細な動作を示す説明図である。
【図１２】本発明の第１の実施の形態のメダル補給口及び施錠装置の詳細な構成を示す説明図である。
【図１３】本発明の第１の実施の形態のメダル貸出装置の制御系の一部を示すブロック図である。
【図１４】本発明の第１の実施の形態の制御装置の処理を示すフローチャートである。
【図１５】本発明の第１の実施の形態の貯留状態監視処理の詳細を示すフローチャートである。
【図１６】本発明の第１の実施の形態の補給開始処理の詳細を示すフローチャートである。
【図１７】本発明の第１の実施の形態の補給終了処理の詳細を示すフローチャートである。
【図１８】本発明の第１の実施の形態のメダル貸出装置の動作を示すタイミングチャートである。
【図１９】本発明の第２の実施の形態のメダル貸出装置の動作を示すタイミングチャートである。
【図２０】本発明の第３の実施の形態の補給流路近傍を上面から見た際の断面図である。
【符号の説明】
【０１９３】
１  遊技装置
１０  遊技機
２０  遊技媒体（メダル）貸出装置
３０  情報表示装置
４０  通信装置
５０  島コントローラー
５１  島ランプ
６０  紙幣回収装置
７０  管理装置
【図１】
2006346268.tif 000003
【図２】
2006346268.tif 000004
【図３】
2006346268.tif 000005
【図４】
2006346268.tif 000006
【図５】
2006346268.tif 000007
【図６】
2006346268.tif 000008
【図７】
2006346268.tif 000009
【図８】
2006346268.tif 000010
【図９】
2006346268.tif 000011
【図１０】
2006346268.tif 000012
【図１１】
2006346268.tif 000013
【図１２】
2006346268.tif 000014
【図１３】
2006346268.tif 000015
【図１４】
2006346268.tif 000016
【図１５】
2006346268.tif 000017
【図１６】
2006346268.tif 000018
【図１７】
2006346268.tif 000019
【図１８】
2006346268.tif 000020
【図１９】
2006346268.tif 000021
【図２０】
2006346268.tif 000022